【手続補正書】
【提出日】平成18年9月1日(2006.9.1)
【手続補正１】
【補正対象書類名】特許請求の範囲
【補正対象項目名】全文
【補正方法】変更
【補正の内容】
【特許請求の範囲】
【請求項１】
少なくとも２個のゴールを備え、プレイフィールド板に多数形成された空気噴出孔から上方へ噴出する空気によってパックが該プレイフィールド板上を滑走しうるエアゲーム機において、
前記空気噴出孔は、前記プレイフィールド板の他の部分に比べて中央部にて密に配置されたことを特徴とするエアゲーム機。
【請求項２】
前記プレイフィールド板に固定されたゴール最大巾を規定する左右両側巾規定手段と、
前記左右両側巾規定手段よりゴール巾中央部寄りに位置し、前記プレイフィールド板に接近してゴール巾を狭めるよう上下に昇降自在に設けられたゴール巾縮小手段と、
前記プレイフィールド板の巾方向にそれぞれ移動可能に設けられた左右１対のゴール巾調整操作手段と、
該左右１対のゴール巾調整操作手段の離隔状態で前記左右１対のゴール巾縮小手段を前記プレイフィールド板より離れて上昇させ、前記左右１対のゴール巾調整操作手段の接近状態で前記左右１対のゴール巾縮小手段を前記プレイフィールド板上に接近してゴール巾を縮める連動手段とを具備したことを特徴とする請求項１記載のエアゲーム機。
【請求項３】
床面または地面に水平に載置される基枠と、
該基枠の一端部に、相互に平行な左右１対の細長部材の一端側下端部が枢着された一方の支脚と、
該一方の支脚における左右１対の細長部材の長手方向中央部に、他方の支脚における相互の平行な左右１対の細長部材の長手方向中央部が傾動自在に枢着された他方の支脚と、
該他方の支脚における左右１対の細長部材の一端側上端部に、昇降枠における左右細長水平部材の一端部が傾動自在に枢着されるとともに上方にプレイフィールド板を備えた昇降枠と、
前記２対の支脚間、または前記基枠および昇降枠間の間隔を拡大・縮小自在に変更させる昇降駆動手段とよりなり、
前記一方の支脚における左右１対の細長部材の他端側上端部が前記昇降枠における左右細長部材の他端側の水平ガイド部材に水平方向へ移動自在に保持されるとともに、前記他方の支脚における左右１対の細長部材の他端側下端部が前記基枠の他端側の水平ガイド部材に水平方向へ移動自在に保持されたことを特徴とする請求項１記載のエアゲーム機。
【手続補正２】
【補正対象書類名】明細書
【補正対象項目名】０００１
【補正方法】変更
【補正の内容】
【０００１】
本発明は、プレイフィールド板に多数形成された空気噴出孔から上方へ噴出する空気によってパックを該プレイフィールド板上を滑走させるエアゲーム機と、このエアゲーム機に用いられるパックに関するものである。
【手続補正３】
【補正対象書類名】明細書
【補正対象項目名】０００５
【補正方法】変更
【補正の内容】
【０００５】
請求項１記載の発明は、少なくとも２個のゴールを備え、プレイフィールド板に多数形成された空気噴出孔から上方へ噴出する空気によってパックが該プレイフィールド板上を滑走しうるエアゲーム機において、前記空気噴出孔は、前記プレイフィールド板の他の部分に比べて中央部にて密に配置されたことを特徴とするエアゲーム機である。
【手続補正４】
【補正対象書類名】明細書
【補正対象項目名】０００６
【補正方法】変更
【補正の内容】
【０００６】
請求項２記載の発明は、前記プレイフィールド板に固定されたゴール最大巾を規定する左右両側巾規定手段と、前記左右両側巾規定手段よりゴール巾中央部寄りに位置し、前記プレイフィールド板に接近してゴール巾を狭めるよう上下に昇降自在に設けられたゴール巾縮小手段と、前記プレイフィールド板の巾方向にそれぞれ移動可能に設けられた左右１対のゴール巾調整操作手段と、該左右１対のゴール巾調整操作手段の離隔状態で前記左右１対のゴール巾縮小手段を前記プレイフィールド板より離れて上昇させ、前記左右１対のゴール巾調整操作手段の接近状態で前記左右１対のゴール巾縮小手段を前記プレイフィールド板上に接近してゴール巾を縮める連動手段とを具備したことを特徴とする請求項１記載のエアゲーム機である。
【手続補正５】
【補正対象書類名】明細書
【補正対象項目名】０００７
【補正方法】変更
【補正の内容】
【０００７】
請求項３記載の発明は、床面または地面に水平に載置される基枠と、該基枠の一端部に、相互に平行な左右１対の細長部材の一端側下端部が枢着された一方の支脚と、該一方の支脚における左右１対の細長部材の長手方向中央部に、他方の支脚における相互の平行な左右１対の細長部材の長手方向中央部が傾動自在に枢着された他方の支脚と、該他方の支脚における左右１対の細長部材の一端側上端部に、昇降枠における左右細長水平部材の一端部が傾動自在に枢着されるとともに上方にプレイフィールド板を備えた昇降枠と、前記２対の支脚間、または前記基枠および昇降枠間の間隔を拡大・縮小自在に変更させる昇降駆動手段とよりなり、前記一方の支脚における左右１対の細長部材の他端側上端部が前記昇降枠における左右細長部材の他端側の水平ガイド部材に水平方向へ移動自在に保持されるとともに、前記他方の支脚における左右１対の細長部材の他端側下端部が前記基枠の他端側の水平ガイド部材に水平方向へ移動自在に保持されたことを特徴とする請求項１記載のエアゲーム機である。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１３
【補正方法】変更
【補正の内容】
【００１３】
請求項３記載の発明においては、昇降駆動手段を動作させることにより、２対の支脚間、または基枠および昇降枠間の間隔を拡大・縮小させて、プレイフィールド板を上下に昇降し、プレイヤの身長にプレイフィールド板の高さを迅速かつ容易に合わせることができる。
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００２２
【補正方法】変更
【補正の内容】
【００２２】
図１ないし図５に図示の形態では、プレイフィールド板５の中心部の範囲Ａ内の空気噴出孔６の密度が他の部分の空気噴出孔６の密度よりも大きいため、範囲Ａ内に位置するパック10の浮遊状態は、他の部分のパック10の浮遊状態よりも、大量の加圧空気の供給で上方へパック10は浮いており、プレイフィールド板５に対するパック10の摩擦力が大巾に軽減され、パック10は範囲Ａ内では減速して静止することが少なくなく、プレイヤは、ゴール７より離れた範囲内のパック10を叩くことが殆んどなく、プレイヤがゴール７より移動することがない結果、エアホッケーゲームが中断することなく迅速に進行し、興趣が著しく高くなる。
【手続補正１５】
【補正対象書類名】明細書
【補正対象項目名】００３２
【補正方法】変更
【補正の内容】
【００３２】
さらに、図１０ないし図１１に図示されたエアゲーム機について説明する。
【手続補正１６】
【補正対象書類名】明細書
【補正対象項目名】００３５
【補正方法】変更
【補正の内容】
【００３５】
図１０ないし図１１に図示のエアゲーム機では、モータ26を回転駆動させると、ネジ棒27は一斉に同一速度で回転し、モータ26を停止した際には、ネジ棒27は同一角度回転するため、上方筺体２は、水平状態を維持したまま、上下に所要の高さ迄昇降できるので、プレイヤの身長や、姿勢に対応して上方筺体２の高さを調整でき、しかも水平状態を確実に維持できる結果、プレイヤは、ホッケーゲームを充分に楽むことができる。
【手続補正１７】
【補正対象書類名】明細書
【補正対象項目名】００３７
【補正方法】変更
【補正の内容】
【００３７】
図１０ないし図１１に図示のエアゲーム機で、４本のネジ棒27を鉛直に起立したまま回転自在に基台25に支持させ、ネジ棒27の下端に図示されないスプロケットを一体に嵌着し、この４個のスプロケットに図示されない無端チエンを架渡し、モータ26の回転軸に直結されたドライブスプロケットをこの無端チエンに係合させれば、安価なモータ26が１個で足り、大巾なコストダウンが可能となる。
【手続補正１８】
【補正対象書類名】明細書
【補正対象項目名】００３８
【補正方法】変更
【補正の内容】
【００３８】
さらにまた、図１２ないし図１４に図示された請求項３記載の発明の最良の形態について説明する。
【手続補正１９】
【補正対象書類名】明細書
【補正対象項目名】００４８
【補正方法】変更
【補正の内容】
【００４８】
図１５ないし図１６に図示されたエアホッケーゲーム機１に使用されるパック10の具体的構造について説明する。
【手続補正２０】
【補正対象書類名】明細書
【補正対象項目名】００４９
【補正方法】変更
【補正の内容】
【００４９】
熱可塑性樹脂よりなり、射出成形されたパック10は、中心部のボス部51と、ボス部51の外周面より半径方向へ岐出して渦巻状に弯曲した複数枚のスポーク部52と、スポーク部52の外端部に一体に結合されたリング部53とよりなり、スポーク部52は図１６に図示されるように断面形状が翼のように滑らかな曲面に形成されて傾斜している。
【手続補正２１】
【補正対象書類名】明細書
【補正対象項目名】００５０
【補正方法】変更
【補正の内容】
【００５０】
図１５ないし図１６に図示のパックでは、普通のパックとは異なった形状をし、しかもスポーク部52が傾斜しているため、パック10は、プレイフィールド板５上を浮遊しながら回転するので、パック10は回転しながら特異な軌跡を画く。
【手続補正２２】
【補正対象書類名】明細書
【補正対象項目名】００５１
【補正方法】変更
【補正の内容】
【００５１】
最後に、図１７ないし図１９に図示されたパックについて説明する。
【手続補正２３】
【補正対象書類名】明細書
【補正対象項目名】００５７
【補正方法】変更
【補正の内容】
【００５７】
０…床面、１…エアホッケーゲーム機、２…上方筺体、３…キャスタ、４…伸縮脚、５…プレイフィールド板、６…空気噴出孔、７…ゴール、８…防護ネット、９…マレット、10…パック、11…周壁、12…ゴールカバー、13…ゴール巾規定部材、14…溝、15…スリット、16…ホルダー、17…ゴール巾縮小ブロック、18…傾斜溝、19…規制先端部、20…ゴール巾調整金具、21…傾斜面、22…バネ受け凹部、23…バネ受け凹部、24…圧縮コイルバネ、25…基台、26…モータ、27…ネジ棒、28…雌ネジ、30…基枠、31…基片、32…枢支片、33…一方の支脚、34…細長部材、35…支軸、36…他方の支脚、37…細長部材、38…中心軸、39…昇降枠、40…細長水平部材、41…水平ガイド部材、42…水平ガイド部材、43…支持杆、44…支持杆、45…モータ支持板、46…モータ、47…アーム、48…突片、49…連結片、50…受片、51…ボス部、52…スポーク部、53…リング部、54…パック、55…中心部分、56…外周部分、57…上型、58…下型、59…中心注入孔、60…外周注入孔。